(57)【特許請求の範囲】
【請求項１】
側面に開放部が形成された注出筒を備えており、容器本体の口首部に装着されて内容液を前記注出筒から注出させる注出キャップであって、
前記容器本体の口首部の内周面に沿って配置される内筒壁を備えると共に、該内筒壁の下端部に連設する底面壁を備えており、
前記注出筒は、前記内筒壁と離間して前記底面壁から立設して設けられると共に、前記底面壁と接続する前記注出筒の基端部の内側領域に、流出口が開口形成されており、
前記注出筒の上下方向中間部分には、前記注出筒の内側面から支持されて、前記開放部の幅方向中間部分に配置されると共に前記注出筒の長手方向に延設する口元開口挿入突起が設けられており、
前記口元開口挿入突起の両側には、前記口元開口挿入突起を挟み込むようにして配置されて前記注出筒の内壁面に沿って長手方向に延設して設けられた補助ガイド壁部との間に、下方に向けて幅が狭くなった装着スリットが形成されており、
詰替え用パウチから前記容器本体に内容液を詰め替える際に、該詰替え用パウチの口元部分に形成された詰替え流出開口に前記口元開口挿入突起が挿入されて、前記詰替え流出開口が開口した状態が保持されると共に、前記口元部分が位置決めされる注出キャップ。
【請求項２】
前記口元開口挿入突起は、前記注出筒の前記開放部を挟んだ両側の内壁面に掛け渡されて前記開放部を横断して設けられた支持梁部によって支持されて、前記注出筒の長手方向に延設して設けられている請求項１記載の注出キャップ。
【請求項３】
前記口元開口挿入突起は、前記開放部に面した突起幅が先端側に向けて徐々に狭くなった形状を備えている請求項１又は２記載の注出キャップ。
【請求項４】
前記口元開口挿入突起は、その全体が前記注出筒の内側領域に収まるように設けられている請求項１〜３の何れか１項記載の注出キャップ。
【請求項５】
前記口元開口挿入突起は、その内側面が凹状に窪んだ、Ｖ字状又は弧状の横断面形状を備えている請求項１〜３の何れか１項記載の注出キャップ。
【請求項６】
前記口元開口挿入突起は、その外側面が、幅方向中央部分に縦方向に延設するエッジ状の稜線部が形成された、Ｖ字状の横断面形状を備えている請求項１〜５の何れか１項記載の注出キャップ。
【発明の詳細な説明】
【技術分野】
【０００１】
本発明は、注出キャップに関し、特に容器本体の口首部に装着されて、容器本体に収容された内容液を注出筒から注出させる注出キャップに関する。
【背景技術】
【０００２】
近年、各種の液体や、その他の内容物を収納する合成樹脂製の容器についても、環境負荷の低減が図られるようになっており、使用する樹脂量を減らした薄肉の容器が種々開発されている。また、各種の洗剤や食品等を収容する容器として、パウチ等による詰替え容器が多く用いられている。詰替え容器は、収容した内容物を、例えば注出筒による注出ノズルを備える注出キャップが装着された被詰替え容器に、詰め替えたり補充したりすることで、高価な被詰替え容器や注出キャップをその都度廃棄することなく、長期間使用できるようにする。
【０００３】
一方、詰替え容器として多用されている袋状の容器であるパウチは、柔軟性や可撓性に富んだ軟包材によるフィルムを使用して、例えば複数枚のフィルムの周縁部をシール接合することによって形成されており、詰め替え作業の際に容器が変形し易く、またきわめて不安定な状態となり易い。このようなことから、例えば注出筒による注出ノズルを備える注出キャップに改良を加えることで、詰替え用パウチから内容物を安定した状態で容易に詰め替えることができるようにする技術が種々開発されている（例えば、特許文献１、特許文献２参照）。
【先行技術文献】
【特許文献】
【０００４】
【特許文献１】特開２００２−１９８１０
【特許文献３】特開２００６−１８２３５９
【発明の概要】
【発明が解決しようとする課題】
【０００５】
特許文献１の液剤注出容器では、注出キャップの注出筒の側面に形成された開放部であるスリットの幅を、下側よりも上側の方が広くなるように段階的に形成して、詰替え用パウチの口元部分を、注出ノズルの内側に容易に差し込むことができるようになっている。その一方で、差し込んだ口元部分に形成された詰替え流出開口が、幅の狭い部分のスリットによって閉塞しやすくなると共に、特に詰め換えの最終段階で、注出筒の奥まで口元部分を差し込むと、少なくなった内容液が詰替え流出開口を介して流れ難くなるので、内容液を全量詰め替えることに煩わしさを感じやすくなる。
【０００６】
特許文献２の注出容器では、注出キャップの注出筒の先端を尖部とすると共に、詰め替え時には、この注出筒の尖部を、詰替え用パウチの口元部分に形成された詰替え流出開口に挿入することで、口元部分を安定させると共に、詰替え流出開口が開口した状態を容易に保持できるようになっている。その一方で、注出筒の外周面を覆うようにして、これの外側を囲んで詰替え流出開口が配置されるため、注出筒の外周面と詰替え流出開口との間に生じた隙間から内容液が流出しやすくなると共に、注出筒の外側に内容液が回り込むことになって、詰め替え時に内容液をこぼしやすくなる。
【０００７】
本発明は、詰め替え時に詰替え用パウチから内容液を、当該注出キャップが装着された被詰替え容器に、注出筒を介して安定した状態で詰め替えさせることができると共に、詰替え流出開口が開口した状態を容易に保持して、こぼすことなくスムーズに被詰替え容器に詰め替えさせることのできる注出キャップを提供することを目的とする。
【課題を解決するための手段】
【０００８】
本発明は、側面に開放部が形成された注出筒を備えており、容器本体の口首部に装着されて内容液を前記注出筒から注出させる注出キャップであって、前記容器本体の口首部の内周面に沿って配置される内筒壁を備えると共に、該内筒壁の下端部に連設する底面壁を備えており、前記注出筒は、前記内筒壁と離間して前記底面壁から立設して設けられると共に、前記底面壁と接続する前記注出筒の基端部の内側領域に、流出口が開口形成されており、前記注出筒の上下方向中間部分には、前記注出筒の内側面から支持されて、前記開放部の幅方向中間部分に配置されると共に前記注出筒の長手方向に延設する口元開口挿入突起が設けられており、詰替え用パウチから前記容器本体に内容液を詰め替える際に、該詰替え用パウチの口元部分に形成された詰替え流出開口に前記口元開口挿入突起が挿入されて、前記詰替え流出開口が開口した状態を保持すると共に、前記口元部分が位置決めされる注出キャップを提供することにより、上記目的を達成したものである。
【発明の効果】
【０００９】
本発明の注出キャップによれば、詰め替え時に詰替え用パウチから内容液を、当該注出キャップが装着された被詰替え容器に、注出筒を介して安定した状態で詰め替えさせることができると共に、詰替え流出開口が開口した状態を容易に保持して、こぼすことなくスムーズに被詰替え容器に詰め替えさせることができる。
【図面の簡単な説明】
【００１０】
【図１】本発明の好ましい第１実施形態に係る注出キャップが容器本体の口首部に装着された注出容器の略示斜視図である。
【図２】本発明の好ましい第１実施形態に係る注出キャップの斜視図である。
【図３】本発明の好ましい第１実施形態に係る注出キャップを、図２のＡ−Ａに沿って切り欠いた状態で示す斜視図である。
【図４】（ａ）〜（ｃ）は、本発明の好ましい第１実施形態に係る注出キャップを介して、詰替え用パウチから被詰替え容器に内容液を詰め替える状況を説明する略示側面図である。
【図５】本発明の好ましい第２実施形態に係る注出キャップの上面図である。
【発明を実施するための形態】
【００１１】
本発明の好ましい第１実施形態に係る注出キャップ１０は、図１に示すように、被詰替え容器２０として、例えば液体洗剤を内容液として収容したボトル容器を構成する容器本体２１の口首部２１ａに装着して用いられる。本第１実施形態の注出キャップ１０は、図２にも示すように、開放部１１ａが側面に形成された注出筒１１を注出ノズルとして備えており、この注出筒１１の先端部から、被詰替え容器２０に収容された内容液を注出できるようになっている。また、注出キャップ１０は、被詰替え容器２０に収容された内容液が少なくなったり、空になった際に、当該注出キャップ１０を容器本体２１の口首部２１ａから取り外すことなく、口首部２１ａに装着したままの状態で、注出筒１１を介して内容液を詰替え用パウチ３０から被詰替え容器２０に詰め替えることができるようにする機能を備えると共に（図４（ａ）〜（ｃ）参照）、内容液をこぼすことなく、最後までスムーズに詰替え用パウチ３０から被詰替え容器２０に安定した状態で詰め替えることができるようにする機能を備える。
【００１２】
そして、本第１実施形態の注出キャップ１０は、図１〜図３に示すように、容器本体２１の長手方向、すなわち縦方向に沿って側面に開放部１１ａが形成された注出筒１１を備えており、容器本体２１の口首部２１ａに装着されて内容液を注出筒１１から注出させるキャップであって、容器本体２１の口首部２１ａの内周面に沿って配置される内筒壁１２を備えると共に、内筒壁１２の下端部に連設する底面壁１３を備えており、注出筒１１は、内筒壁１２と離間して底面壁１３から立設して設けられると共に、底面壁１３と接続する注出筒１１の基端部の内側領域に、流出口１４が開口形成されている。注出筒１１の上下方向中間部分には、注出筒１１の内側面から支持されて、開放部１１ａの幅方向中間部分（開放部１１ａと対向する方向Ｘから見た際の幅方向中間部分）に配置されると共に注出筒１１の長手方向に延設する口元開口挿入突起１５が設けられている。詰替え用パウチ３０から容器本体２１に内容液を詰め替える際に、詰替え用パウチ３０の口元部分３０ａに形成された詰替え流出開口３０ｂ（図４（ａ）参照）に口元開口挿入突起１５が挿入されて、詰替え流出開口３０ｂが開口した状態を保持すると共に、詰替え用パウチ３０の口元部分３０ａが位置決めされるようになっている。
【００１３】
また、本第１実施形態では、口元開口挿入突起１５は、注出筒１１の開放部１１ａを挟んだ両側の内壁面に掛け渡されて、開放部１１ａと対向する方向Ｘから見た際に開放部１１ａを横断して設けられた支持梁部１６によって支持されて、注出筒１１の長手方向に延設して設けられている。
【００１４】
本第１実施形態では、注出キャップ１０は、例えばポリプロピレン、ポリエチレン、ポリエチレンテレフタレート等からなる合成樹脂製の成形品であって、図２及び図３に示すように、容器本体２１の口首部２１ａの内周面に沿って配置される内筒壁１２と、内筒壁１２の下端部に連設する底面壁１３と、内筒壁１２と離間して底面壁１３から立設して設けられた注出筒１１とを含んで構成される。
【００１５】
内筒壁１２は、容器本体２１の口首部２１ａの内径と略同様の外径を有する部分を備える略円筒形状に形成されている。内筒壁１２の上端面は開口面となっており、この上端開口面の開口縁部から外側に張り出して、円環状のフランジ部１２ａが一体として設けられている。内筒壁１２の外周面を容器本体２１の口首部２１ａの内周面に密着させるようにして、円環状のフランジ部１２ａが口首部２１ａの上端面に当接するまで、注出キャップ１０を容器本体２１の口首部２１ａの内側に嵌め込むことによって、注出キャップ１０が容器本体２１の口首部２１ａに装着固定される（図１参照）。また、内筒壁１２の下端部分は、外径を徐々に縮径させたテーパー状縮径部１２ｂとなっている。このテーパー縮径部１２ｂを斜めに切り欠くように配置されて、底面壁１３が設けられている。
【００１６】
底面壁１３は、内筒壁１２の下端部から、これの全周に亘って内側に張り出して連設する環状の枠板状部分である。底面壁１３は、当該底面壁１３から立設する注出筒１１の開放部１１ａ側が低くなるように、下方に傾斜して設けられている。注出筒１１は、環状の枠板状部分となっている底面壁１３の内側縁部から立設して、底面壁１３と一体として設けられている。これによって注出筒１１は、内筒壁１２の内側面から離間して設けられると共に、底面壁１３の内側縁部と接続する注出筒１１の基端部の内側領域には、流出口１４が開口形成されることになる。
【００１７】
注出筒１１は、長手方向に沿って側面に開放部１１ａが形成された略Ｕ字形の断面形状を備える、いわゆる注出スパウトと呼ばれる部分である。本第１実施形態では、注出筒１１は、開放部１１ａの幅が両側の張出しガイド壁部１１ｂによって狭められた、略Ｕ字形の断面形状を備えている。注出筒１１は、底面壁１３から内筒壁１２の上端開口面よりも上方まで突出する高さで立設しており、内筒壁１２の上端開口面よりも上方に突出する部分が、側面視して略４半円形状を備えるように形成されている（図４（ａ）〜（ｃ）参照）。
【００１８】
そして、本第１実施形態では、図２及び図３に示すように、注出筒１１の内側面から支持梁部１６を介して支持されて、口元開口挿入突起１５が、注出筒１１の上下方向中間部分に配置されて設けられている。支持梁部１６は、本第１実施形態では、注出筒１１の内側領域において、一対の張出しガイド壁部１１ｂの張出し基端部の内側に隣接する部分の注出筒１１の内壁面に、その両端部を各々一体として接合することで、一対の張出しガイド壁部１１ｂ及び開放部１１ａを挟んだ両側の内壁面の間に掛け渡される。これによって、支持梁部１６は、開放部１１ａと対向する方向から見た際に、開放部１１ａを横断して、内筒壁１２の上端開口面よりも低い高さ位置に設けられる。また、口元開口挿入突起１５は、本第１実施形態では、支持梁部１６の中央部分に一体接合されて、上方に立設していることにより、内容液の使用時における注出キャップ１０が装着された容器本体２１の傾倒方向でもある、開放部１１ａと対向する方向Ｘから見た際に、開放部１１ａの幅方向中間部分に配置されて設けられている。
【００１９】
口元開口挿入突起１５は、本第１実施形態では、縦長のヘラ板状の突起あって、好ましくは３〜１０ｍｍ程度の突起幅を有すると共に、開放部１１ａと対向する方向Ｘから見た当該開放部１１ａに面した正面形状が、突起幅が先端側に向けて徐々に狭くなった形状となっている。口元開口挿入突起１５は、支持梁部１６から、好ましくは８〜３０ｍｍ程度の高さで上方に延設して、少なくともその上端部分が、内筒壁１２の上端開口面よりも上方まで突出するように設けられている。口元開口挿入突起１５は、好ましくは注出筒１１の上端部の上面開口部１１ｃや側面の開放部１１ａから外側に突出する部分がないように、その全体が、注出筒１１の内側領域に収まるように配置されて設けられている。
【００２０】
また、口元開口挿入突起１５は、本第１実施形態では、その内側面が、外側に向けて凹状に窪んだ、Ｖ字状又は弧状（本第１実施形態では扁平なＶ字状）の横断面形状を備えている。さらに、口元開口挿入突起１５は、その外側面が、幅方向中央部分に縦方向に延設するエッジ状の稜線部１５ａが形成された、扁平なＶ字状の横断面形状を備えている。
【００２１】
口元開口挿入突起１５の突起幅が先端側に向けて徐々に狭くなっていることにより、詰替え用パウチ３０から容器本体２１に内容液を詰め替える際に、詰替え用パウチ３０の口元部分３０ａに形成された詰替え流出開口３０ｂに、当該口元開口挿入突起１５を挿入させやすくなる。口元開口挿入突起１５の全体が注出筒１１の内側領域に収まるように配置されていることにより、当該口元開口挿入突起１５に手や指が触れるのを効果的に回避することが可能になる。
【００２２】
口元開口挿入突起１５の内側面が、外側に向けて凹状に窪んだ、Ｖ字状又は弧状の横断面形状を備えていることにより、当該口元開口挿入突起１５の内側に相当の大きさの空間を保持して、詰替え時に内容液を滑らかに下方に流下させることで、注出筒１１を通過する内容液の流速が口元開口挿入突起１５によって低下しないようにすることが可能になる。また口元開口挿入突起１５の外側に内容液が流れ難くなるので、流出口１４を介した容器本体２１の内部の空気置換が行われやすくなって、詰替え時に内容液が注出キャップ１０から溢れ出るのを効果的に回避することが可能になる。
【００２３】
口元開口挿入突起１５の外側面が、幅方向中央部分にエッジ状の稜線部１５ａが形成されたＶ字状の横断面形状を備えていることにより、詰替え用パウチ３０から容器本体２１に内容液を詰め替える際に、詰替え用パウチ３０の口元部分３０ａに形成された詰替え流出開口３０ｂに、当該口元開口挿入突起１５を挿入させやすくなる。
【００２４】
また、本第１実施形態では、上述のように、注出筒１１は、開放部１１ａの幅が両側の張出しガイド壁部１１ｂによって狭められた、略Ｕ字形の断面形状を備えている。これによって、張出しガイド壁部１１ｂがガイドとなって、詰替え用パウチ３０の口元部分３０ａの詰替え流出開口３０ｂを、口元開口挿入突起１５にスムーズに案内することが可能なる。張出しガイド壁部１１ｂは、そのガイドとしての機能を高めるために、好ましくは上端部に向けてその開口幅をラッパ状に広げて、注出筒１１の上面開口部１１ｃの開口周縁部と接続している。
【００２５】
口元開口挿入突起１５を支持する支持梁部１６は、本第１実施形態では、注出筒１１の内側領域において、上述のように、一対の張出しガイド壁部１１ｂと近接する部分の注出筒１１の内壁面にその両端部を各々一体として接合することで、一対の張出しガイド壁部１１ｂ及び開放部１１ａを挟んだ両側の内壁面の間に掛け渡される。これによって、支持梁部１６は、上述のように、開放部１１ａと対向する方向から見た際に開放部１１ａを横断して、内筒壁１２の上端開口面よりも低い高さ位置に設けられる。支持梁部１６の中央部分に、当該支持梁部１６に一体として接合されて、口元開口挿入突起１５が立設して配置される。これによって、口元開口挿入突起１５は、開放部１１ａの幅方向中間部分に配置される。
【００２６】
また、支持梁部１６には、これの両端部分から注出筒１１の内壁面に沿って上方に延設して、一対の補助ガイド壁部１６ａが、これらの間に口元開口挿入突起１５を挟み込むように配置されて設けられている。補助ガイド壁部１６ａは、支持梁部１６の両端部分から上方に向けて、同じ断面形状を有するように延設している。これによって、両側の補助ガイド壁部１６ａの口元開口挿入突起１５側の側端面と、先端側に向けて突起幅が徐々に狭くなった口元開口挿入突起１５との間には、当該口元開口挿入突起１５の両側に、下方に向けて幅が狭くなった装着スリット１７が形成される。詰替え用パウチ３０の口元部分３０ａの詰替え流出開口３０ｂに口元開口挿入突起１５を挿入する際に、詰替え流出開口３０ｂの開口縁部の両側のフィルムを、これらの装着スリット１７に差し込むようにして各々係止させることで、詰替え流出開口３０ｂを開口させた状態をより安定した状態で保持することが可能になると共に、口元部分３０ａをより安定した状態で位置決めすることが可能になる。
【００２７】
さらに、本実施形態では、支持梁部１６の下端と注出筒１１の内壁面とが、なだらかに接続されていることにより、詰め替え時に内容液が注出筒１１の内壁面をつたうように流れることで、液のボタ落ちを防ぎ、内部で気泡などが発生するのを防ぎ、泡の発生に伴う液漏れを効果的に防ぐことが可能になる。
【００２８】
さらにまた、本実施形態では、支持梁部１６が、開放部１１ａの開放側寄りの内部を仕切るように接続されていることにより、通常の使用時において、従来の注出筒と同様に、内容液を注ぐ際に、内容液の流れを妨げることがなく、内容液をスムーズに注ぎ出すことが可能になる。
【００２９】
上述の構成を備える本第１実施形態の注出キャップ１０によれば、被詰替え容器２０の容器本体２１の口首部２１ａに装着して用いられて、内容液を使用する際には、被詰替え容器２０の傾倒に伴って、注出筒１１の先端部から、容器本体２１に収容された内容液を注出することができる。また、被詰替え容器２０に収容された内容液が少なくなったり、空になった際に、注出キャップ１０を容器本体２１の口首部２１ａから取り外すことなく、口首部２１ａに装着したままの状態で、注出筒１１を介して内容液を、詰替え用パウチ３０から被詰替え容器２０に安定した状態で最後まで詰め替えることができる。
【００３０】
すなわち、図４（ａ）〜（ｃ）に示すように、内容液を詰替え用パウチ３０から被詰替え容器２０に詰め替えるには、例えば詰替え用パウチ３０の口元部分３０ａを切断等することで詰替え用パウチ３０を開封して、詰替え流出口３０ｂを形成した後に、詰替え流出口３０ｂが形成された口元部分３０ａを、注出キャップ１０の注出筒１１の内側に、張出しガイド壁部１１ｂによって案内させながら、注出筒１１の側面の開放部１１ａから差し込む。また詰替え用パウチ３０を、差し込んだ口元部分３０ａを中心として上方に回転させながら、徐々に傾倒させて行く（図４（ａ）参照）。これに伴って、注出筒１１の内側では、好ましくは補助ガイド壁部１６ａとの間の装着スリット１７に、詰替え流出開口３０ｂの開口縁部の両側のフィルムを差し込むようにしながら、口元開口挿入突起１５が、詰替え流出開口３０ｂの内側に挿入される。
【００３１】
しかる後に、詰替え用パウチ３０を回転させながらさらに大きく傾倒させれば、口元開口挿入突起１５は、詰替え流出開口３０ｂの内側にさらに深く挿入されることで、詰替え流出開口３０ｂを大きく開口させると共に、詰替え用パウチ３０の口元部分３０ａは、より安定した状態で注出筒１１の内側に位置決めされる（図４（ｂ）参照）。
【００３２】
これによって、詰替え流出開口３０ｂに挿入された口元開口挿入突起１５により口元部分３０ａを支持させつつ、当該支持された口元部分３０ａを中心として、詰替え用パウチ３０を回転させてゆくことが可能になる。またこれによって、詰替え流出開口３０ｂを口元開口挿入突起１によって大きく開口させつつ、縦に起こして略倒立させるまで、安定した状態で傾倒させながら、詰替え用パウチ３０に収容された内容液を、注出筒１１及び注出筒１１の基端部内側の流出口１４を介して、被詰替え容器２０の容器本体２１の内部にスムーズに流入させてゆくことが可能になる（図４（ｃ）参照）。
【００３３】
また、使用者が、詰替え用パウチ３０から内容液を最後まで注出させるために、例えば詰替え用パウチ３０を縦に起こして略倒立させた状態として、詰替え用パウチ３０を押し潰したり折り畳んだりしながら内容液を絞り出す際も、口元開口挿入突起１５が詰替え流出開口３０ｂの内側に挿入されているので、口元部分３０ａの位置ずれやぐらつきを防止しつつ、且つ詰替え流出開口３０ｂを大きく開口させつつ、絞り出す作業を安定した状態で行うことが可能になる。
【００３４】
したがって、本第１実施形態の注出キャップ１０によれば、詰め替え時に詰替え用パウチ３０から内容液を、当該注出キャップ１０が装着された被詰替え容器２０に、注出筒１１を介して安定した状態で詰め替えさせることが可能になると共に、詰替え流出開口３０ｂが開口した状態を容易に保持して、こぼすことなくスムーズに被詰替え容器２０に最後まで詰め替えさせることが可能になる。
【００３５】
図５は、本発明の好ましい第２実施形態に係る注出キャップ４０を示すものである。図５に示す第２実施形態の注出キャップ４０は、上記第１実施形態の注出キャップ１０と略同様の構成を備える一方で、口元開口挿入突起１５は、上記第１実施形態の注出キャップ１０のように注出筒１１の開放部１１ａを挟んだ両側の内壁面に掛け渡された支持梁部１６によって支持されているのではなく、注出筒１１の開放部１１ａとは径方向反対側に位置する部分の内壁面から注出筒１１の中心側に向けて片持ち梁状に張り出して設けられた片持ち支持梁部４１によって支持されて、注出筒１１の長手方向に延設して設けられている。なお、本第２実施形態の注出キャップ４０において、上記第１実施形態の注出キャップ１０と同様の構成部分については、上記第１実施形態の注出キャップ１０と同様の符号を付して、その詳細な説明は省略する。
【００３６】
本第２実施形態の注出キャップ４０によっても、注出筒１１の上下方向中間部分に、注出筒１１の内側面から支持されて、開放部１１ａの幅方向中間部分に配置されると共に注出筒１１の長手方向に延設する口元開口挿入突起１５が設けられていることで、上記第１実施形態の注出キャップ５０と同様の作用効果が奏される。
【００３７】
なお、本発明は上記各実施形態に限定されることなく種々の変更が可能である。例えば、口元開口挿入突起は、突起幅が先端側に向けて徐々に狭くなった形状を備えている必要は必ずしもなく、詰替え流出開口を挿入しやすい形状を備えていれば良い。また、口元開口挿入突起の内側面や外側面は、Ｖ字状や弧状の横断面形状を備えている必要は必ずしもない。さらに、支持梁部は必ずしも開放部を挟んで内壁面を掛け渡す必要はなく、片側だけに設けられていても良い。また、支持梁部は開放部の一部を掛け渡すのではなく、底面壁方向まで伸びていても良い。さらに、注出キャップは、容器本体の口首部の内側に嵌め込んで装着されるものである必要は必ずしもなく、例えば内周面に雌ねじ凸条が形成された装着スカート壁を備えていて、この装着スカート壁の雌ねじ凸条を、容器本体の口首部の外周面に設けられた雄ねじ凸条に螺合することで、容器本体の口首部に着脱可能に装着されるものであっても良い。
【符号の説明】
【００３８】
１０，４０  注出キャップ
１１  注出筒
１１ａ  開放部
１１ｂ  張出しガイド壁部
１１ｃ  上面開口部
１２  内筒壁
１２ａ  円環状のフランジ部
１２ｂ  テーパー状縮径部
１３  底面壁
１４  流出口
１５  口元開口挿入突起
１５ａ  稜線部
１６  支持梁部
１７  装着スリット
２０  被詰替え容器
２１  容器本体
２１ａ  口首部
３０  詰替え用パウチ
３０ａ  口元部分
３０ｂ  詰替え流出開口
４１  片持ち支持梁部
Ｘ    開放部と対向する方向
【図１】
0005955585.tif 000002
【図２】
0005955585.tif 000003
【図３】
0005955585.tif 000004
【図４】
0005955585.tif 000005
【図５】
0005955585.tif 000006